(57)【要約】【課題】非作業時における取り扱いを便利に行える苗すくい板ホルダーを提供する。【解決手段】複数の苗すくい板２６を重ね合わせ状態で収容する苗すくい板ホルダーであって、複数の苗すくい板２６を収容保持する本体３０に、田植機に対して着脱自在に装着するための着脱部３１を装備させて構成する。【選択図】　　　　図３
2004121039.tif 000002
【特許請求の範囲】
【請求項１】
複数の苗すくい板を重ね合わせ状態で収容する苗すくい板ホルダーであって、複数の苗すくい板を収容保持する本体に、田植機に対して着脱自在に装着するための着脱部を装備させて構成してある苗すくい板ホルダー。
【請求項２】
前記着脱部が、田植機の予備苗のせ台装置に対して係脱により着脱するものである請求項１記載の苗すくい板ホルダー。
【請求項３】
前記着脱部が、それ自身及び本体の弾性で弾性的に着脱するものである請求項１又は２記載の苗すくい板ホルダー。
【請求項４】
左右対称に構成されている請求項１〜３のいずれか１項に記載の苗すくい板ホルダー。
【請求項５】
前記本体が、苗すくい板の先端の幅よりも小なる間隔を隔てて位置して斜め下方に向かって差し込まれた苗すくい板の先端の左右２箇所を受け止め支持する左右一対の安定受け止め部を備えたものである請求項１〜４のいずれか１項に記載の苗すくい板ホルダー。
【請求項６】
前記着脱部が左右一対で、予備苗のせ台装置の載せ板に係止することにより本体を載せ板の下方に位置させる状態で吊り支持するものである請求項１〜５のいずれか１項に記載の苗すくい板ホルダー。
【請求項７】
前記本体が、苗すくい板を載置する前後向き姿勢の左右一対の第１線材部と、これら第１線材部の後端同士を繋ぐ状態で苗すくい板を載置する左右向き姿勢の第２線材部と、苗すくい板の浮き上がりを防止する前後向き姿勢の左右一対の第３線材部と、第１線材部の前端と第３線材部の前端とを繋ぐ状態で苗すくい板先端部を受け止め支持する左右一対の第４線材部とを備える状態に線材を折り曲げて構成され、前記着脱部が、前記第１線材部を載置支持する左右向き姿勢の前後一対の第６線材部と、これらの左右端それぞれから立ち上がって上端に係止部を連設する第７線材部とを備える状態に線材から構成され、前記第１線材部と第６線材部とを溶接で接合させてある請求項１〜６のいずれか１項に記載の苗すくい板ホルダー。
【発明の詳細な説明】
【０００１】
【発明の属する技術分野】
本発明は、田植機に装着されて、複数の苗すくい板を重ね合わせ状態で収容する苗すくい板ホルダーに関する。
【０００２】
【従来の技術】
従来では、走行機体に立設した支柱に、複数の苗すくい板を左右重ね合わせ状態で収容する苗すくい板ホルダーを固定設置した技術が知られている（例えば、特許文献１参照。）。
【０００３】
【特許文献１】
特開平１１ー２６６６３４号公報
【０００４】
【発明が解決しようとする課題】
しかし、上記従来の技術によるときは、苗すくい板ホルダーが走行機体に常設されるため、格納やメンテナンスなど非作業時に邪魔になっていた。
【０００５】
本発明の目的は、非作業時における苗すくい板ホルダーの取り扱い性を向上する点にある。
【０００６】
【課題を解決するための手段】
請求項１に係る本発明による苗すくい板ホルダーの特徴・作用・効果は次の通りである。
【０００７】
〔特徴〕
複数の苗すくい板を重ね合わせ状態で収容する苗すくい板ホルダーであって、複数の苗すくい板を収容保持する本体に、田植機に対して着脱自在に装着するための着脱部を装備させて構成してある点にある。
【０００８】
〔作用〕
田植機に対して着脱自在であるから、作業時には装着することにより苗すくい板を収容でき、他方、格納やメンテナンスなどの非作業時には、田植機から外しておくことによりその田植機の格納やメンテナンスなどを邪魔することがない。
【０００９】
〔効果〕
従って、非作業時における取り扱いを便利に行える苗すくい板ホルダーを提供できるようになった。
【００１０】
請求項２に係る本発明による苗すくい板ホルダーの特徴・作用・効果は次の通りである。
【００１１】
〔特徴〕
上記請求項１に係る本発明による苗すくい板ホルダーにおいて、前記着脱部が、田植機の予備苗のせ台装置に対して係脱により着脱するものである点にある。
【００１２】
〔作用〕
予備苗のせ台装置に対して着脱自在であるから、装着状態において、苗を取り扱うものを集約することができる。
【００１３】
〔効果〕
従って、苗すくい板を使い勝手の良い状態で収納保持できるようになった。
【００１４】
請求項３に係る本発明による苗すくい板ホルダーの特徴・作用・効果は次の通りである。
【００１５】
〔特徴〕
上記請求項１や２に係る本発明による苗すくい板ホルダーにおいて、前記着脱部が、それ自身及び本体の弾性で弾性的に着脱するものである点にある。
【００１６】
〔作用〕
弾性的に着脱するものであるから、容易に着脱することができる。
しかも、それ自体の弾性で着脱するから、スプリングなど別途弾性部材が不要である。
【００１７】
〔効果〕
従って、着脱作業性に優れ、しかも、構造簡単・安価に実施できる苗すくい板ホルダーを提供できるようになった。
【００１８】
請求項４に係る本発明による苗すくい板ホルダーの特徴・作用・効果は次の通りである。
【００１９】
〔特徴〕
上記請求項１や２，３に係る本発明による苗すくい板ホルダーにおいて、左右対称に構成されている点にある。
【００２０】
〔作用〕
左右対称形であるから、田植機の左右いずれにも着脱することができる。
【００２１】
〔効果〕
従って、作業者が扱いやすい箇所に装着できるようになった。
【００２２】
請求項５に係る本発明による苗すくい板ホルダーの特徴・作用・効果は次の通りである。
【００２３】
〔特徴〕
上記請求項１や２，３，４に係る本発明による苗すくい板ホルダーにおいて、前記本体が、苗すくい板の先端の幅よりも小なる間隔を隔てて位置して斜め下方に向かって差し込まれた苗すくい板の先端の左右２箇所を受け止め支持する左右一対の安定受け止め部を備えたものである点にある。
【００２４】
〔作用〕
左右一対の安定受け止め部で差し込まれた苗すくい板の先端２箇所を受け止め支持するから、苗すくい板を安定良く保持することができる。
【００２５】
〔効果〕
従って、苗すくい板の保持性能を向上できるようになった。
【００２６】
請求項６に係る本発明による苗すくい板ホルダーの特徴・作用・効果は次の通りである。
【００２７】
〔特徴〕
上記請求項１や２，３，４，５に係る本発明による苗すくい板ホルダーにおいて、前記着脱部が左右一対で、予備苗のせ台装置の載せ板に係止することにより本体を載せ板の下方に位置させる状態で吊り支持するものである点にある。
【００２８】
〔作用〕
予備苗のせ台装置の載せ板の下方といった邪魔にならない余った箇所に位置させる状態で吊り支持させるから、空間の有効利用を図りながら設置することができる。
【００２９】
〔効果〕
従って、空間的に有利に設置できるようになった。
【００３０】
請求項７に係る本発明による苗すくい板ホルダーの特徴・作用・効果は次の通りである。
【００３１】
〔特徴〕
上記請求項１や２，３，４，５，６に係る本発明による苗すくい板ホルダーにおいて、前記本体が、苗すくい板を載置する前後向き姿勢の左右一対の第１線材部と、これら第１線材部の後端同士を繋ぐ状態で苗すくい板を載置する左右向き姿勢の第２線材部と、苗すくい板の浮き上がりを防止する前後向き姿勢の左右一対の第３線材部と、第１線材部の前端と第３線材部の前端とを繋ぐ状態で苗すくい板先端部を受け止め支持する左右一対の第４線材部とを備える状態に線材を折り曲げて構成され、前記着脱部が、前記第１線材部を載置支持する左右向き姿勢の前後一対の第６線材部と、これらの左右端それぞれから立ち上がって上端に係止部を連設する第７線材部とを備える状態に線材から構成され、前記第１線材部と第６線材部とを溶接で接合させてある点にある。
【００３２】
〔作用〕
苗すくい板を受け止める第１線材部と第６線材部とを溶接で接合させてあるから、苗すくい板の受け止めを確実に行うことができる。
しかも、苗すくい板を受け止める第１線材部と第６線材部とのみを溶接で接合し、着脱部をフリーとしてあるから、着脱部を容易に弾性変形させることができる。
【００３３】
〔効果〕
従って、確実に苗すくい板を保持できる一方、容易に着脱することができるようになった。
【００３４】
【発明の実施の形態】
田植機は、図１に示すように、乗用型の自走機体１の後部に複数条植え式の苗植付け装置２をリンク機構３を介して昇降自在に連結し、圧油供給に伴って前記苗植付け装置２を重量に抗して上昇させかつ排油に伴い苗植付け装置２を重量で下降させる油圧シリンダ利用のリフトシリンダ４を設けて構成されている。
【００３５】
前記自走機体１は、図２にも示すように、操向用の左右一対の駆動前輪５と左右一対の駆動後輪６とを備えた機体フレーム７の前部にエンジン８と前記駆動前輪５を操向操作するためのステアリングハンドル９とを配置し、前記機体フレーム７の後部に運転座席１０を配置し、機体フレーム７に、機体前部からの乗降用の通路を前記エンジン８の左右両側に形成する搭乗ステップ１１と後輪フェンダー１２とを支持させて構成されている。
【００３６】
前記機体フレーム７は、前記エンジン８によりベルト伝動装置１３を介して駆動される前後進切り換え自在な静油圧式の無段変速装置１４の出力を走行部（前記駆動前輪５及び駆動後輪６）と前記苗植付け装置２とに分配するミッションケース１５を設け、このミッションケース１５の前部に前記エンジン８を搭載する前フレーム１６を連結し、後部に前記運転座席１０や後輪フェンダー１２を支持する後フレーム１７を連結して構成されている。
【００３７】
前記苗植付け装置２は、走行に伴って滑走することで圃場の植付け予定面を整地する接地フロート１８と、複数の苗を載置した状態で左右に設定ストロークで往復移動する苗のせ台１９と、この苗のせ台１９の移動に連動して植付け予定面を苗のせ台１９からの苗取り出し口との間で循環作動することにより苗のせ台１９上の苗を植え付け単量づつ取り出して植付け予定面に植え付ける植付け機構２０とを設けて構成されている。
【００３８】
また、田植機は、肥料ホッパー２１と、この肥料ホッパー２１から繰り出された肥料をホース２２を介して圧送するための気流を発生させる電動式のブロワ−２３とを前記自走機体１に装備させ、走行に伴い圃場に施肥用の溝を形成するとともにホース２２を介して圧送されてくる肥料を前記溝に供給する作溝器２４を前記苗植付け装置２に取り付けて構成される施肥装置を有する。
【００３９】
かつ、前記自走機体１は、複数の苗を載置する左右一対の予備苗のせ台装置２５を装備しており、かつ、苗を前記苗植付け装置２の苗のせ台１９に供給する場合に用いる苗すくい板２６の複数を上下に重ねる状態で載置収容保持する苗すくい板ホルダー２７を着脱自在に装備している。
【００４０】
前記予備苗のせ台装置２５は、図１〜図７に示すように、前記通路の左右外側に位置する状態で前後一対の支柱２８を機体フレーム７に連結支持させ、これら支柱２８に、左右外側に水平に突出して苗を載置保持する作用姿勢と起立した格納姿勢とに前後向き軸芯ｘ周りで揺動切り換え自在な上下複数段の載せ板２９を取り付けて構成されている。
【００４１】
前記苗すくい板ホルダー２７は、図１〜図７に示すように、後方上方から差し込まれた苗すくい板２６を収容保持する本体３０と、この本体３０を前記予備苗のせ台装置２５の載せ板２９のうち最下段の作用姿勢の載せ板２５にそれの下方に位置する状態で着脱自在に装着するための左右一対の着脱部３１とから左右対称の状態に構成されている。
【００４２】
詳述すれば、本体３０は、左右に苗すくい板２６の左右幅よりも小なる左右間隔を隔ててい位置して苗すくい板２６を前下がりの状態で載置する前後向き姿勢でかつ前下がり姿勢の左右一対の第１線材部３２と、これら第１線材部３２の後端同士を繋ぐとともに苗すくい板２６の出入り口の下端辺を形成する状態で苗すくい板２６を載置する左右向き姿勢の第２線材部３３と、左右に苗すくい板２６の左右幅よりも小なる左右間隔を隔ててい位置して載置収容させた苗すくい板２６の浮き上がりを接当阻止する前後向き姿勢の左右一対の第３線材部３４と、前記第１線材部３２の前端と第３線材部３４の前端との対応するもの同士を繋ぐ状態で苗すくい板２６の差込み先端部の左右２箇所を受け止め支持する左右一対の第４線材部３５と、前記第３線材部３４の後端同士を繋ぐとともに苗すくい板２６の出入り口の上端辺を形成する左右向き姿勢の第５線材部３６とを備える状態に線材を折り曲げることにより構成されている。なお、前記第１線材部３２の左右幅と第３線材部３４の左右幅とは等しく、結果として、第４線材部３５の左右幅も苗すくい板２６の左右幅よりも小さく設定されて第４線材部３５が左右一対の安定受け止め部ａを形成している。
【００４３】
前記着脱部３１は、前記第１線材部３２を安定載置する左右向き姿勢の前後一対の第６線材部３７とこれらの左右両端それぞれから立ち上がって上端に前記載せ板２９への吊り用の線材製の係止部３８を連設するとともに載置収容させた苗すくい板２６の左右位置を接当規制する第７線材部３９群とを備える状態に線材から構成されている、
前記係止部３８は、前後方向で対向する前記第７線材部３９の上端同士を繋ぐ状態の前後向き姿勢の左右一対のものであって、左右一方の係止部３８が載せ板２９の左右外側端に載置しかつ前記左右外側端に一体連設した苗脱落防止用の立ち上がり部２９ａに左右外方への移動を阻止されるように係止し、他方の係止部３８が載せ板２９の基端部に止着した前後一対のフック４０に載置しかつ左右方向での移動を阻止されるように係止するのである。また、左右外側に位置する第７線材部３９が載せ板２９の前後両端に接当するとともに左右内側に位置する第７線材部３９がフック４０の前後両端に接当することにより載せ板２９に対する前後位置を規制されるものである。
【００４４】
かつ、前記本体３０と着脱部３１とは、第１線材部３２と第６線材部３７とを溶接で接合させることにより固定連結されており、前記着脱部３１は、それ自身及び本体３０の弾性で弾性的に着脱するものである。
【００４５】
従って、苗すくい板ホルダー２７が左右対称であるから、左右の予備苗のせ台装置２５の最下端の載せ板２９にフック４０を装着しておくことにより、苗すくい板ホルダー２７を左右の予備苗のせ台装置２５のいずれにも装着することができるのである。
【００４６】
図８の（イ）（ロ）に示すように、前記苗植付け装置２のうち前記苗のせ台１９や植付け機構２０などを支持するための左右向き姿勢の苗のせ部フレーム４１には、走行に伴って圃場を滑走することで圃場面を整地する整地板４２が平行四連リンク機構４３を介して上下に平行移動自在に支持されており、４４は、圃場の凹凸に追従させて整地板４２を昇降させるバランスバネである。
【００４７】
また、前記植付け機構２０への伝動ケース４５には、図１０、図１１に示すように、伝動チェーン４６とこれに作用するタイトナー４７とが内装されており、このタイトナー４７は、伝動ケース４５に螺合させた調整用のボルト４８によりスプリング４９を介して伝動チェーン４６を押圧することにより伝動チェーン４６の使用に伴う伸びにかかわらずその伝動チェーン４６に作用するようになっている。スプリング４９でタイトナー４６を押圧するには、図１０にも示すように、スプリング４９自体で直接に押圧しても良いが、図１１に示すように、スプリング４９にキャップ状のガイド５０をかぶせてこのガイド５０を介して押圧するようにしても良い。
【図面の簡単な説明】
【図１】田植機の側面図
【図２】田植機要部の平面図
【図３】苗すくい板ホルダの斜視図
【図４】予備苗のせ台装置要部の側面図
【図５】予備苗のせ台装置の平面図
【図６】苗すくい板ホルダの平面図
【図７】予備苗のせ台装置の正面図
【図８】苗植付け装置要部の動作を示す側面図
【図９】苗植付け装置要部の平面図
【図１０】伝動ケースの縦断側面図
【図１１】伝動ケース要部の縦断側面図
【符号の説明】
２６　　　苗すくい板
３０　　　本体
３１　　　着脱部
２５　　　予備苗のせ台装置
ａ　　　　安定受け止め部
２９　　　載せ板
３２　　　第１線材部
３３　　　第２線材部
３４　　　第３線材部
３５　　　第４線材部
３７　　　第６線材部
３８　　　係止部
３９　　　第７線材部
【図１】
2004121039.tif 000003
【図２】
2004121039.tif 000004
【図３】
2004121039.tif 000005
【図４】
2004121039.tif 000006
【図５】
2004121039.tif 000007
【図６】
2004121039.tif 000008
【図７】
2004121039.tif 000009
【図８】
2004121039.tif 000010
【図９】
2004121039.tif 000011
【図１０】
2004121039.tif 000012
【図１１】
2004121039.tif 000013